(57)【要約】【課題】本発明は、試料セットの作業性に優れた透過測定用ホルダを提供することにある。【解決手段】試料２８を光透過測定する際に用いられる透過測定用ホルダ１０において、該試料２８を保持するためのホルダ本体１２と、該ホルダ本体１２に着脱自在に設けられ、該ホルダ本体１２に取り付けられた状態で該試料２８を該ホルダ本体１２とで挟持する試料押さえ１４と、該ホルダ本体１２ないし該試料押さえ１４に設けられ、該ホルダ本体１２に対し該試料押さえ１４を磁力で着脱自在とする固定手段１６とを備え、該ホルダ本体１２に対し該試料押さえ１４を磁力で着脱自在とし、かつ該試料押さえ１４の材質を、該ホルダ本体１２に対し該試料押さえ１４を着脱する際および該ホルダ本体１２と該試料押さえ１４とで該試料２８を挟持する際に、変形しない材質としたことを特徴とする透過測定用ホルダ１０。【選択図】図１
2009047623.tif 000002
【特許請求の範囲】
【請求項１】
試料を光透過測定する際に用いられる透過測定用ホルダにおいて、
前記試料を保持するためのホルダ本体と、
前記ホルダ本体に着脱自在に設けられ、該ホルダ本体に取り付けられた状態で該試料を該ホルダ本体とで挟持する試料押さえと、
前記ホルダ本体ないし前記試料押さえに設けられ、該ホルダ本体に対し該試料押さえを磁力で着脱自在とする固定手段と、
前記ホルダ本体に設けられ、該ホルダ本体および前記試料押さえに挟持された試料の光透過測定を行うための本体側光通過穴と、
前記試料押さえに設けられ、前記ホルダ本体および該試料押さえに挟持された試料の光透過測定を行うための押さえ側光通過穴と、
を備え、前記ホルダ本体に対し前記試料押さえを磁力で着脱自在とし、
かつ、前記押さえの材質を、前記ホルダ本体に対し該試料押さえを着脱する際および該ホルダ本体と該試料押さえで前記試料を挟持する際に、変形しない材質としたことを特徴とする透過測定用ホルダ。
【請求項２】
請求項１記載の透過測定用ホルダにおいて、
前記ホルダ本体は、前記本体側光通過穴の中心軸上に前記試料の中心軸が位置するように、該試料を位置決め保持するための本体凹部を備え、
前記本体凹部は、前記ホルダ本体に対する前記試料の軸直交方向位置を規定するための凹部周壁を含むことを特徴とする透過測定用ホルダ。
【請求項３】
請求項２記載の透過測定用ホルダにおいて、
前記本体凹部に着脱自在に設けられ、該本体凹部に位置決め保持される試料と大きさの異なる試料を位置決め保持するための枠組を備え、
前記枠組は、前記本体凹部に嵌合した状態で、該枠組に位置決め保持された試料の中心軸が前記本体側光通過穴の中心軸上に位置するように、前記ホルダ本体に対する該試料の軸直交方向位置を規定するための枠組内周壁および枠組外周壁を備え、
前記枠組内周壁は前記試料を位置決め保持し、前記枠組外周壁は前記本体凹部周壁に嵌合することを特徴とする透過測定用ホルダ。
【請求項４】
請求項１〜３のいずれかに記載の透過測定用ホルダにおいて、
前記試料押さえは、試料押さえ端部と試料押さえ中間部との間に、試料厚さに基づき定められた段差が設けられるように、断面略Ω字状に屈曲されたものであり、
前記試料押さえを断面逆Ω字の向きで、前記試料押さえ中間部を前記ホルダ本体に設置し、前記ホルダ本体と該試料押さえ中間部とで前記試料を挟持し、
または、前記試料押さえを断面Ω字の向きで、前記試料押さえ端部を前記ホルダ本体に設置し、該ホルダ本体と前記試料押さえ中間部とで該試料を挟持することを特徴とする透過測定用ホルダ。
【請求項５】
請求項１〜４のいずれかに記載の透過測定用ホルダにおいて、
前記試料押さえは、前記試料を前記ホルダ本体に向けて押すためのリング状パッキンを備え、
前記パッキンは、前記押さえ側光通過穴の中心軸上にパッキン中心軸が位置するように前記試料押さえに設けられ、試料厚さに基づき定められたパッキン厚さを有することを特徴とする透過測定用ホルダ。
【発明の詳細な説明】
【技術分野】
【０００１】
本発明は透過測定用ホルダ、特にその試料保持機構の改良に関する。
【背景技術】
【０００２】
従来より、試料の分子構造や状態を測定するため、試料に赤外線を照射しその透過光を分光しスペクトルを得ることにより、試料の特性を知る赤外透過測定が行われている。
赤外透過測定においては、試料セットとして、試料を臭化カリウム（ＫＢｒ）等の赤外透過剤と共にすりつぶし、錠剤整形をする錠剤法を用いるのが一般的である。液体試料の場合、ＫＢｒなどの窓板に試料を塗るか、塗れない粘性の低い試料は、２枚の窓板の間に挟んで測定を行う。
試料が薄いフィルム状の場合は、特に前処理を必要とせず、そのまま測定が可能であるが、液体やフィルムの透過測定には、液体やフィルムを装置にセットするためのホルダが必要となる。
従来のホルダとしては、例えばＫＢｒを金属板で挟み、ネジで締め付け固定するネジ式があった（例えば、特許文献１，非特許文献１参照）。
また、従来のホルダとしては、例えばＫＢｒを金属板で挟み、バネを使ったクリップで挟んで固定するクリップ式もあった（例えば、特許文献２，非特許文献２参照）。
【特許文献１】実全平３−１６０４７号公報（第３図）
【特許文献２】特開平７−１２８２０６号公報（図１）
【非特許文献１】“FTIR TALK vol.9  液体試料の測定法”、[online]、株式会社 島津製作所、[平成１９年４月４日検索]、インターネット＜ＵＲＬ：http://www.an.shimadzu.co.jp/support/lib/ftirtalk/talk9/intro.htm＞
【非特許文献２】“EZ-Clip Holder”、[online]、株式会社エス・テイ・ジャパン、[平成１９年４月４日検索]、インターネット＜ＵＲＬ：http://www.stjapan.co.jp/101_stjp/101_02_b/index.html＞
【発明の開示】
【発明が解決しようとする課題】
【０００３】
しかしながら、前記従来方式にあっても、試料セットの作業性は、改善の余地が残されていた。
すなわち、前記ネジ式のホルダでは、ネジを閉めるのに手間がかかり、強く締め過ぎると、窓板を破損する危険がある。また、人によって締め付ける強さが違うので測定結果も人により異なる。
また、前記クリップ式のホルダでは、バネにより簡単に保持が可能である。しかしながら、窓板をセットする際にクリップを持ち上げるために、片手がふさがる。また、押さえが邪魔になるので、別の場所で試料を窓板に塗る若しくは挟むなどのサンプリングを行い、これをホルダにセットする必要があり、面倒であった。
前記従来方式は、何れも、マスクをかけることで小さな窓板やフィルムを測定することができる。しかしながら、このマスクは、単に穴の開いた板であり、窓板のセット位置は目で見ながら、置く位置を手で調整する必要があり、面倒であった。
このように前記従来方式にあっても、試料セットの作業性に関しては、未だ改善の余地が残されていたものの、従来は、これを解決することのできる適切な技術が存在しなかった。
本発明は前記従来技術の課題に鑑みなされたものであり、その目的は、試料セットの作業性に優れた透過測定用ホルダを提供することにある。
【課題を解決するための手段】
【０００４】
前記目的を達成するために、本発明にかかる透過測定用ホルダは、試料を光透過測定する際に用いられる透過測定用ホルダにおいて、ホルダ本体と、試料押さえと、固定手段と、本体側光通過穴と、押さえ側光通過穴と、を備え、該ホルダ本体に対し該試料押さえを磁力で着脱自在とし、かつ該試料押さえの材質を、該ホルダ本体に対し該試料押さえを着脱する際および該ホルダ本体と該試料押さえとで該試料を挟持する際に、変形しない材質としたことを特徴とする。
ここで、前記ホルダ本体は、試料を保持するためのものとする。
また、前記試料押さえは、前記ホルダ本体に着脱自在に設けられ、該ホルダ本体に取り付けられた状態で該試料を該ホルダ本体とで挟持する。
前記固定手段は、前記ホルダ本体ないし前記試料押さえに設けられ、該ホルダ本体に対し該試料押さえを磁力で着脱自在とする。
前記本体側光通過穴は、前記ホルダ本体に設けられ、該ホルダ本体および前記試料押さえに挟持された試料を光透過測定するためのものとする。
前記押さえ側光通過穴は、前記試料押さえに設けられ、前記ホルダ本体および該試料押さえに挟持された試料を光透過測定するためのものとする。
【０００５】
＜試料押さえの材質＞
本発明の試料押さえの材質としては、ゴムよりも硬いもの、例えば金属等が挙げられる。
【０００６】
＜試料のセット＞
試料のセットとしては、試料がそのままセットされる場合と、試料が窓板間に設けられてセットされる場合とを含めていう。
【０００７】
＜本体凹部＞
なお、本発明において、前記ホルダ本体は、前記本体側光通過穴の中心軸上に前記試料の中心軸が位置するように、該試料を位置決め保持するための本体凹部を備えることが好適である。
ここで、前記本体凹部は、凹部周壁を含む。前記凹部周壁は、前記ホルダ本体に対する前記試料の軸直交方向位置を規定するためのものとする。
【０００８】
＜枠組＞
また、本発明においては、前記本体凹部に着脱自在に設けられ、該本体凹部に位置決め保持される試料と大きさの異なる試料を位置決め保持するための枠組を備えることが好ましい。
前記枠組は、枠組内周壁および枠組外周壁を備える。前記枠組内周壁および前記枠組外周壁は、前記本体凹部に該枠組を嵌合した状態で、前記本体側光通過穴の中心軸上に該枠組に位置決め保持された試料の中心軸が位置するように、該ホルダ本体に対する該試料の軸直交方向位置を規定するためのものとする。前記枠組内周壁は、前記試料を位置決め保持する。前記枠組外周壁は、前記本体凹部周壁に嵌合する。
【０００９】
＜試料押さえ＞
本発明において、前記試料押さえは、試料押さえ端部と試料押さえ中間部との間に、試料厚さに基づき定められた段差が設けられるように、断面略Ω字状に屈曲されたものであることが好適である。
そして、本発明においては、前記試料押さえを断面逆Ω字の向きで、前記試料押さえ中間部を前記ホルダ本体に設置し、該ホルダ本体と該試料押さえ中間部とで前記試料を挟持する。または、前記試料押さえを断面Ω字の向きで、前記試料押さえ端部を前記ホルダ本体に設置し、該ホルダ本体と前記試料押さえ中間部とで前記試料を挟持する。
【００１０】
＜パッキン＞
本発明において、前記試料押さえは、前記試料を前記ホルダ本体に向けて押すためのリング状パッキンを備えることが好適である。
ここで、前記パッキンは、前記押さえ側光通過穴の中心軸上にパッキン中心軸が位置するように前記試料押さえに設けられ、試料厚さに基づき定められたパッキン厚さを有する。
【発明の効果】
【００１１】
本発明にかかる透過測定用ホルダによれば、ホルダ本体に対し試料押さえを磁力で着脱自在とし、かつ試料押さえの材質を、ホルダ本体に対し試料押さえを着脱する際およびホルダ本体と試料押さえで試料を挟持する際に変形しない材質としたので、試料セットの作業性が向上する。
【００１２】
また、本発明においては、前記ホルダ本体が前記本体凹部を備えることにより、試料の位置決めを容易かつ正確に行うことができるので、試料セットの作業性が、より向上する。
本発明においては、前記本体凹部に着脱自在な枠組を備えることにより、種々の試料大きさに対応することができるので、試料セットの作業性が、より向上する。
本発明においては、前記試料押さえを前記断面略Ω字状とすることにより、種々の試料厚さに対応することができるので、試料セットの作業性が、より向上する。
本発明においては、前記試料押さえに前記パッキンを備えることにより、種々の試料厚さに対応することができるので、試料セットの作業性が、より向上する。
【発明を実施するための最良の形態】
【００１３】
以下、図面に基づき本発明の好適な一実施形態について説明する。
図１には本発明の一実施形態にかかる透過測定用ホルダの概略構成が示されている。
なお、同図（Ａ）はホルダ本体より試料押さえを取り外した状態を斜め上方より見た図、同図（Ｂ）はホルダ本体に試料押さえを取り付けた状態を斜め上方より見た図、同図（Ｃ）はホルダ本体に試料押さえを取り付けた状態の縦断面図である。
本実施形態では、試料として液体試料を想定し、液体試料を窓板間に設けた例について説明する。
同図に示す赤外透過測定用ホルダ（透過測定用ホルダ）１０は、ホルダ本体１２と、試料押さえ１４と、磁石（固定手段）１６と、本体側光通過穴１８と、押さえ側光通過穴２０と、本体凹部２２と、を備える。
ここで、ホルダ本体１２は、試料２８を窓板３０間に設けた状態で保持する。
また、試料押さえ１４は、ホルダ本体１２に着脱自在に設けられる。試料押さえ１４は、ホルダ本体１２に取り付けられた状態で、試料２８をホルダ本体１２とで挟持する。試料押さえ１４の材質は、ホルダ本体１２に対し試料押さえ１４を着脱する際およびホルダ本体１２と試料押さえ１４とで試料２８を挟持する際に、変形しない材質、例えば磁性金属とする。
磁石１６は、ホルダ本体１２に設けられ、ホルダ本体１２に対し試料押さえ１４を磁力で着脱自在とする。
【００１４】
本体側光通過穴１８は、ホルダ本体１２に設けられ、試料２８に測定光を入射させるためのもの、または試料２８に測定光を入射して得られた試料２８よりの透過光（測定光）を通過させるためのものとする。
押さえ側光通過穴２０は、試料押さえ１４に設けられ、試料２８に測定光を入射させるためのもの、または試料２８に測定光を入射して得られた試料２８よりの透過光を通過させるためのものとする。
そして、本体側光通過穴１８の中心軸上に押さえ側光通過穴２０の中心軸が位置するように、ホルダ本体１２に対し試料押さえ１４が取り付けられる。
【００１５】
同図において、ホルダ本体１２の本体側光通過穴１８の上部には、試料２８、窓板３０、および後述する枠組が嵌合される本体凹部２２が設けられている。本体凹部２２は、本体側光通過穴１８よりも大きい寸法を有する。
本体凹部２２は、本体側光通過穴１８の中心軸上に試料２８の中心軸が位置するように、試料２８を位置決め保持するためのものとする。本体凹部２２は、ホルダ本体１２に対する試料２８の中心軸方向位置を規定するための凹部底壁３２、及びホルダ本体１２に対する試料２８の軸直交方向位置を規定するための凹部周壁３４を含む。
【００１６】
本実施形態にかかる赤外透過測定用ホルダ１０は概略以上のように構成され、以下にその作用について説明する。
本実施形態においては、ホルダ本体１２に対し試料押さえ１４を磁力で着脱自在に設けているので、ホルダ本体１２に対する試料押さえ１４の着脱が容易となる。
このために試料セットを行う際、ホルダ本体１２に対し試料押さえ１４を完全に取り外している。
そして、ホルダ本体１２の本体凹部２２に、一方の窓板３０、試料２８、および他方の窓板３０を順に設ける。ここで、試料セットを行う際、ホルダ本体１２に対し試料押さえ１４を完全に取り外しているので、クリップ式に比較し、ホルダ本体１２への窓板３０、試料２８のセットが容易に行える。
また、ホルダ本体１２の本体凹部２２に、窓板３０を設けた際、本体凹部周壁３４に窓板３０周壁が嵌合するように、本体凹部周壁３４の形状および寸法が、窓板３０周壁の形状及び寸法に応じて決められている。この結果、ホルダ本体１２の本体凹部２２に窓板３０、試料２８をセットするだけで、ホルダ本体１２に対する試料２８および窓板３０の軸直交方向位置を容易かつ正確に位置決めすることができる。
さらに、ホルダ本体１２の本体凹部２２に、窓板３０を設けた際、本体凹部底壁３２に窓板３０の底壁を当接させるだけで、ホルダ本体１２に対する試料２８および窓板３０の軸方向位置を容易かつ正確に位置決めすることができる。
【００１７】
このようして本体凹部２２により試料２８、窓板３０が位置決め保持されると、本体側光通過穴１８の中心軸上に押さえ側光通過穴２０の中心軸が位置するように、ホルダ本体１２に対し試料押さえ１４を取り付ける。
その際、試料押さえ１４はホルダ本体１２に対し磁石１６の磁力でしっかり取り付けられるので、試料２８はホルダ本体１２と試料押さえ１４との間にしっかり挟持される。
また、ホルダ本体１２に試料押さえ１４を載せるだけで、ホルダ本体１２に対する試料押さえ１４の固定を行うことができるので、クリップ式やネジ式のものに比較し、ホルダ本体１２に対する試料押さえ１４の固定を容易に行うことができる。
【００１８】
前述のようにして試料セットが終了した赤外透過測定用ホルダ１０は、ＦＴＩＲ試料室内の所定光路上に位置するところにセットされ、試料２８の赤外透過測定が行われる。
ここで、赤外透過測定用ホルダ１０は、本体側光通過穴１８の中心軸を基準に、試料２８の中心軸、および押さえ側光通過穴２０の中心軸が位置決めされているので、ＦＴＩＲ試料室内の所定光路上に本体側光通過穴１８の中心軸を一致させるだけで、赤外透過測定用ホルダ１０のＦＴＩＲへの位置決めを容易かつ正確に行うことができる。
そして、赤外透過測定の終了後、ホルダ本体１２に対し試料押さえ１４を引き離すだけで、ホルダ本体１２より試料押さえ１４を容易に取り外すことができるので、測定済みの試料２８、窓板３０を容易に取り出すことができる。その際も、ホルダ本体１２に対し試料押さえ１４を完全に取り外しているので、クリップ式に比較し、ホルダ本体１２よりの窓板３０および試料２８の取り外しが容易に行える。
【００１９】
ところで、従来より、ホルダ本体に対する試料押さえの固定手段としては、種々のものがあり、例えばクリップ式、ネジ式等がある。
本実施形態においては、試料の良好な保持、およびホルダ本体に対する試料押さえの着脱の容易性の双方を得るため、磁石固定式と試料押さえの材質との組合せが非常に重要である。本実施形態においては、試料押さえの材質を、ホルダ本体に対し試料押さえを着脱する際およびホルダ本体と試料押さえとで試料を挟持する際に、変形しない材質、例えば磁性金属としている。
【００２０】
ここで、ホルダ本体に対し試料押さえを磁力で着脱自在に構成する際、通常は、着脱を容易に行うため、試料押さえをゴム磁石で構成することが考えられる。
しかしながら、試料押さえをゴム磁石で構成したのでは、試料の保持が良好に行えないことがある。
すなわち、試料押さえをゴム磁石で構成したのでは、ホルダ本体に試料押さえが取り付けられている状態で、ホルダ本体に試料押さえ端部がぴったり密着していることが考えられる。このような状態で、ホルダ本体より試料押さえを取り外す際、試料押さえ端部のみを若干、捲ってから（変形させてから）、試料押さえ全体を持ち上げることにより、ホルダ本体より試料押さえを容易に取り外すことができる。
しかしながら、試料押さえが取り外しの際に変形するので、ホルダ本体に試料押さえを取り付けた際に、試料押さえに変形が残っていると、ホルダ本体と試料押さえで試料をしっかり挟持するのが困難なことがある。
また、試料押さえをゴム磁石で構成したのでは、ホルダ本体と試料押さえで試料をしっかり挟持する際においても、試料厚さによっては、試料で試料押さえが盛り上がるように変形することがあるので、ホルダ本体と試料押さえとで試料をしっかり挟持するのが困難なことがある。
【００２１】
そこで、本実施形態においては、ホルダ本体に対する試料押さえの着脱容易性、および試料の良好な保持を確実に両立するため、固定機構としては磁石式を採用し、さらに試料押さえの材質を変形しない材質、例えば磁性金属としている。このような有意義的な組合せによりはじめて、試料の良好な保持、およびホルダ本体に対する試料押さえの着脱容易性の双方を、確実に得ることができる。
【００２２】
試料セットの作業性の更なる向上
本実施形態においては、試料セットの作業性の更なる向上のため、種々の試料大きさに対応することも非常に重要である。このために試料大きさに応じた枠組を介して、本体凹部に、種々の試料大きさの試料をセットすることも非常に好ましい。
＜本体凹部，枠組＞
以下に、本実施形態において特徴的な本体凹部２２及び枠組２４について、図２を参照しつつ、より具体的に説明する。
なお、同図（Ａ）は本体凹部２２及び枠組２４の要部を上方より見た分解図、同図（Ｂ）は本体凹部２２及び枠組２４の要部を上方より見た組立図、同図（Ｃ）は同図（Ｂ）に示した本体凹部２２及び枠組２４の要部の縦断面図である。
【００２３】
ホルダ本体１２は、本体側光通過穴１８の中心軸上に試料２８の中心軸が位置するように、試料２８を位置決め保持するための本体凹部２２を備える。
本体凹部２２は、ホルダ本体１２に対する試料２８の中心軸方向位置を規定するための凹部底壁３２、及びホルダ本体１２に対する試料２８の軸直交方向位置を規定するための凹部周壁３４（３４ａ〜３４ｄ）を含む。
【００２４】
本実施形態においては、本体凹部２２に着脱自在に設けられ、本体凹部２２に位置決め保持される試料２８と大きさの異なる試料を位置決め保持するための枠組２４を備える。
枠組２４は、本体凹部２２に嵌合した状態で、本体側光通過穴１８の中心軸上に、枠組２４に位置決め保持された試料２８の中心軸が位置するように、ホルダ本体１２に対する試料２８の軸直交方向位置を規定するための枠組内周壁３６ａ〜３６ｄ、及び枠組外周壁３８ａ〜３８ｄを含む。また、枠組２４は、試料２８の赤外透過測定を行うための枠組側光通過穴４０を含む。
また、枠組２４は、本体凹部２２の凹部底壁３２に枠組２４の底部を当接した状態で、ホルダ本体１２に対する、枠組２４に位置決め保持された試料２８の中心軸方向位置を規定するための枠組底壁４１を含む。
【００２５】
そして、試料２８および窓板３０が、本体凹部２２の大きさよりも小さい場合、枠組２４を介して、試料２８および窓板３０を本体凹部２２にセットする。すなわち、試料２８および窓板３０の大きさに応じた枠組内周壁３６ａ〜３６ｄを有する枠組２４を用意し、その枠組外周壁３８ａ〜３８ｄを、本体凹部２２の凹部周壁３４ａ〜３４ｄに嵌合することにより、本体凹部２２に対する枠組２４の位置決めを行うことができる。
次に、この枠組２４に、一方の窓板３０、試料２８および他方の窓板３０を設けることで、窓板３０間に試料２８をセットすることができる。
ここで、本体凹部２２の凹部周壁３４ａ〜３４ｄに、枠組２４の外周壁３８ａ〜３８ｄを勘合させているので、ホルダ本体２２に対し、試料２８の軸直交方向位置を正確かつ容易に位置決めすることができる。このために枠組２４の枠組外周壁３８ａ〜３８ｄは、本体凹部２２の凹部周壁３４ａ〜３４ｄの形状及び寸法に対応した、枠組外周壁形状及び枠組外周壁寸法を有する。
また、本体凹部２２の凹部底壁３２に、枠組２４の底壁を当接させることで、ホルダ本体１２に対する試料２８の中心軸方向位置を位置決めすることができる。このために枠組２４は、本体凹部２２の深さに対応した、枠組厚さを有する。
【００２６】
このようして本体凹部２２および枠組２４により試料２８が位置決めされると、本体側光通過穴１８の中心軸上に押さえ側光通過穴２０の中心軸が位置するように、ホルダ本体１２に対し試料押さえ１４が取り付けられ、試料セットを終了する。
【００２７】
本実施形態においては、窓板３０の大きさに応じた枠組２４を用いることにより、窓板３０の位置合わせの手間が要らず、窓板３０を枠組２４内に置くだけで、適切な位置に窓板３０をセットすることができる。
【００２８】
また、本実施形態においては、磁石１６で試料押さえ１４を固定することができるので、簡単に窓板３０、液体やフィルム等などの試料２８を保持することができる。
本実施形態においては、小型で使い捨ての窓板３０もセットすることのできる枠組２４を設けることにより、洗浄手間とコンタミネーションの危険とを取り除いた測定が行える。この枠組２４は用いる窓板３０の大きさによって取替えが可能である。
本実施形態においては、押さえ１４を交換することによって、様々な大きさの窓板３０やフィルム試料を保持することができる。
【００２９】
本実施形態によれば、測定までの前処理とセットに要する時間は数秒で、小型の使い捨ての窓板３０を用いれば洗浄手間も不要なため分析時間の短縮につながる。また、枠組２４を取り替えることで小型の窓板（５ｍｍ×５ｍｍ×１ｍｍ）や、これまで一般的であった２０ｍｍ〜３０ｍｍ角のものなど、幅広く保持可能である。小さい窓板３０を用いれば、必要とされる試料２８も微量（液体であれば１μｌ程度）で、少量しかない試料２８でも測定が可能である。
【００３０】
本実施形態によれば、ホルダ本体１２に対し試料押さえ１４が磁石１６で着脱自在であるので、試料２８の固定が簡単であり、測定に際して個人差が出にくい。
本実施形態においては、窓板３０を固定する試料押さえ１４が取り外せ、窓板３０を固定する枠組２４があるので、本体凹部２２ないし枠組２４の中でサンプリングを行い、そのまま測定できる。
本実施形態においては、枠組２４を取り替えることで、小型の使い捨ての窓板３０以外にも様々な大きさや形の窓板３０がセット可能で、フィルムやシリコンウェハのような板状の試料も簡便に保持して測定が可能である。
【００３１】
＜試料押さえ＞
本実施形態においては、試料セットの作業性の更なる向上のため、種々の試料厚さに対応することも非常に重要である。このために本実施形態においては、試料押さえとして、板状のものに代えて、試料厚さに応じた段差を有するように断面略Ω字状に屈曲されたものを用いることも好ましい。
すなわち、本実施形態において、試料押さえ１４は、図３（Ａ）に示されるように、試料押さえ中間部４２と試料押さえ端部４４との間に、試料厚さに基づき定められた段差Ｓが設けられるように、断面略逆Ω字状に屈曲されたものを用いることも好ましい。
試料２８が薄いフィルム試料の場合、同図（Ｂ）に示されるように、試料押さえ１４を断面逆Ω字の向きで、ホルダ本体１２と試料押さえ中間部４２の外側面４２ａとで、試料２８を挟持することができる。
また、試料２８が液体試料の場合、同図（Ｃ）に示されるように、試料押さえ１４を断面Ω字の向きで、試料押さえ端部４４をホルダ本体１２に設置し、ホルダ本体１２と試料押さえ中間部４２の内側面４２ｂとで、窓板３０を介して試料２８を挟持することができる。
本実施形態においては、一の試料押さえ１４で、異なる試料厚さの試料２８に対応することができるので、試料セットの作業性の更なる向上を図ることができる。
【００３２】
また、本実施形態においては、断面略Ω字状に屈曲している試料押さえ１４を用いることにより、平板状のものに比較し、試料押さえ１４の着脱を、より容易に行うことができるので、試料セットの作業性の更なる向上を図ることができる。
すなわち、同図（Ｂ）に示されるように試料押さえ１４が断面逆Ω字の向きの場合は、試料押さえ端部４４を持つことにより、ホルダ本体１２に対する試料押さえ１４の着脱を、より容易に行うことができる。
また、同図（Ｃ）に示されるように試料押さえ１４を断面Ω字の向きの場合は、試料押さえ中間部４２を持つことにより、ホルダ本体１２に対する試料押さえ１４の着脱を、より容易に行うことができる。
【００３３】
＜パッキン＞
本実施形態においては、種々の試料厚さに対応することも非常に重要である。このために本実施形態においては、試料押さえに、試料厚さに応じた厚さを有するパッキンを設けることも好ましい。
すなわち、本実施形態においては、図４に示されるようなリング状のパッキン４６を設けることも好ましい。
なお、同図（Ａ）はパッキン４６が設けられた試料押さえ１４をホルダ本体１２側より見た図である。同図（Ｂ）は同様の試料押さえ１４をホルダ本体１２に取り付けた状態の縦断面図である。
同図（Ａ）に示されるように、パッキン４６は、押さえ側光通過穴２０の中心軸上にパッキン中心軸が位置するように、試料押さえ１４に設けられている。
パッキン４６は、試料厚さに基づき定められたパッキン厚さを有する。
また、パッキン４６は、本体凹部２２の試料２８を確実に挟持するため、パッキン４６外周壁全体が本体凹部２２に入る必要がある。このためにパッキン４６は、本体凹部２２よりも若干小さいパッキン外周壁寸法を有する。
さらに、パッキン４６は、赤外透過測定を妨げるのを防ぐため、パッキン内周壁の寸法が、押さえ側光通過穴２０の寸法よりも大きい。
この結果、同図（Ｂ）に示されるように、試料厚さに応じたパッキン厚さを有するパッキン４６が設けられた試料押さえ１４を、ホルダ本体１２に取り付けるだけで、パッキン４６が試料２８をホルダ本体１２に向けて確実に押すことにより、窓板３０を介して、試料２８を確実に挟持することができる。これにより、例えば窓板３０間に液体試料２８を保持する場合であっても、窓板３０間に液体試料２８をぴったり密着させて保持することができるので、試料セットの作業性の更なる向上を図ることができる。
【００３４】
＜位置決め機構＞
本実施形態においては、試料セットの作業性の更なる向上のため、ホルダ本体１２に対する試料押さえ１４の軸方向位置を、より容易かつ正確に、位置決めすることが非常に重要である。
このために本実施形態においては、図４に示されるように、ホルダ本体１２及び試料押さえ１４に、位置決めピン４８及び位置決め穴５０を設けている。この位置決めピン４８及び位置決め穴５０の軸直交方向位置は、ホルダ本体１２に対する試料押さえ１４の軸直交方向位置を位置決めした際に得ておいたものである。
これにより、本実施形態においては、ホルダ本体１２に試料押さえ１４を取り付ける際に、位置決めピン４８に位置決め穴５０を通すだけで、ホルダ本体１２に対する試料押さえ１４の軸直交方向位置の位置決めを、容易かつ正確に、行うことができる。
【００３５】
なお、前記構成では、透過測定用ホルダを赤外領域での測定に用いた例について説明したが、本発明はこれに限定されず、他の領域での測定に用いることも可能である。
【図面の簡単な説明】
【００３６】
【図１】本発明の一実施形態にかかる透過測定用ホルダの概略構成の説明図である。
【図２】本発明の一実施形態にかかる透過測定用ホルダにおいて好適なホルダ本体および枠組の説明図である。
【図３】本発明の一実施形態にかかる透過測定用ホルダにおいて好適な試料押さえの説明図である。
【図４】本発明の一実施形態にかかる透過測定用ホルダにおいて好適なパッキン及び位置決め機構の説明図である。
【符号の説明】
【００３７】
１０    赤外透過測定用ホルダ（透過測定用ホルダ）
１２    ホルダ本体
１４    試料押さえ
１６    磁石（固定手段）
１８    本体側光通過穴
２０    押さえ側光通過穴
２２    本体凹部
２４    枠組
【図１】
2009047623.tif 000003
【図２】
2009047623.tif 000004
【図３】
2009047623.tif 000005
【図４】
2009047623.tif 000006